(57)【要約】【課題】本発明は、導光板及び該導光板を利用したバックライトモジュールに関する。【解決手段】本発明の導光板は、底面と、前記底面と対向する出射面と、前記底面と前記出射面とを接続する側面とを含む。前記底面は、中心を含み、複数のパターンが設置される。前記複数のパターンが前記底面の中心を中心とする複数の環に配列され、前記導光板の縁と近接するパターンが配列された形状は、該導光板の形状と同じである。また、本発明は、もう一つの導光板を提供し、該導光板の出射面は、中心を含み、複数のパターンが設置され、前記複数のパターンが前記出射面の中心を中心とする複数の環に配列され、前記導光板の縁と近接するパターンが配列された形状は、該導光板の形状と同じである。また、本発明は、それぞれ、前記導光板を利用したバックライトモジュールを提供する。【選択図】図１
2010045029.tif 000002
【特許請求の範囲】
【請求項１】
底面と、
前記底面と対向する出射面と、
前記底面と前記出射面とを接続する側面と、
を含む導光板において、
前記底面が、中心を含み、複数のパターンが設置され、前記複数のパターンが前記底面の中心を中心とする複数の環に配列され、前記導光板の縁と近接するパターンが配列された形状は、該導光板の形状と同じであることを特徴とする導光板。
【請求項２】
前記底面の中心に近接するパターンは、該底面の中心を円心とする円環に配列され、該底面の中心から離れるパターンは、Ｎ辺形の環に配列され、該Ｎ辺形の環の形状は、前記導光板の形状と同じであることを特徴とする、請求項１に記載の導光板。
【請求項３】
前記円環の数量とＮ辺形の環の数量との比が２０：１より小さいことを特徴とする、請求項２に記載の導光板。
【請求項４】
反射部をさらに含み、該反射部が、前記導光板の出射面側に、前記底面の中心と対向する位置に設置され、該導光板の内部に凹んで形成されたことを特徴とする、請求項１〜３のいずれかの一項に記載の導光板。
【請求項５】
前記導光板の底面に収容空間が設置され、該収容空間は、該導光板の回転軸を中心として所定の平面図形を回転させて形成した構造体を、前記導光板から除去することで形成された凹槽であり、前記光源を収容することに用いられることを特徴とする、請求項１〜４のいずれかの一項に記載の導光板。
【請求項６】
前記導光板の出射面に複数のパターンが設置され、該複数のパターンが前記出射面の中心を中心とする複数の環に配列され、前記導光板の縁と近接するパターンが配列された形状は、該導光板の形状と同じであることを特徴とする、請求項１〜５のいずれかの一項に記載の導光板。
【請求項７】
底面と、
前記底面と対向する出射面と、
前記底面と前記出射面とを接続する側面と、
を含む導光板において、
前記出射面が、中心を含み、複数のパターンが設置され、前記複数のパターンが前記出射面の中心を中心とする複数の環に配列され、前記導光板の縁と近接するパターンが配列された形状は、該導光板の形状と同じであることを特徴とする導光板。
【請求項８】
少なくとも一つの光源及び導光板を含むバックライトモジュールにおいて、
前記導光板が、底面と、前記底面と対向する出射面と、前記底面と前記出射面とを接続する側面とを含み、前記底面が、中心を含み、複数のパターンが設置され、
前記少なくとも一つの光源が、前記導光板の下方の、前記底面の中心と対向する位置に設置され、
前記複数のパターンが前記底面の中心を中心とする複数の環に配列され、前記導光板の縁と近接するパターンが配列された形状は、該導光板の形状と同じであることを特徴とするバックライトモジュール。
【請求項９】
少なくとも一つの光源及び導光板を含むバックライトモジュールにおいて、
前記導光板が、底面と、前記底面と対向する出射面と、前記底面と前記出射面とを接続する側面とを含み、前記底面と出射面が、それぞれ中心を含み、前記出射面が、複数のパターンが設置され、
前記少なくとも一つの光源が、前記導光板の下方の、前記底面の中心と対向する位置に設置され、
前記複数のパターンが前記出射面の中心を中心とする複数の環に配列され、前記導光板の縁と近接するパターンが配列された形状は、該導光板の形状と同じであることを特徴とするバックライトモジュール。
【発明の詳細な説明】
【技術分野】
【０００１】
本発明は、導光板及びバックライトモジュールに関し、特に直射型の導光板及びバックライトモジュールに関するものである。
【背景技術】
【０００２】
近年、平面ディスプレイの発展が速く、パソコン、テレビ、移動通信用及び消費者用電子製品などの分野に広く使用されていると共に、電子製品は、平面ディスプレイ（例えば液晶ディスプレイ）に対する要求が不断に高まっている。バックライトモジュールは、前記平面ディスプレイの重要な素子であり、点光源（例えば、発光ダイオード）又は線光源（例えば、冷陰極管）からの光線を一つの平面から出射させ、面光源とすることができるので、いろいろなバックライトモジュールを設計することの研究がなされている。
【０００３】
バックライトモジュールは、光源及び導光板を含み、該光源が前記導光板の入射面と対向する位置に設置される。光源が設置される位置によって、バックライトモジュールは、直射型とサイドライト型に分けられる。前記直射型のバックライトモジュールとは、光源を導光板の底部に設置して直接に照明するものである。前記サイドライト型のバックライトモジュールとは、光源を導光板の側面と対向する位置に設置して、光線が該側面から導光板に入射してから、不断に前方向へ伝えると共に、完全反射の条件が壊されるので、該光線が導光板の出射面から均一的に出射できる。
【０００４】
図１を参照すると、導光板１０を提供する。該導光板１０は、入射面１０２、反射面１０４、該反射面１０４と対向する出射面（図示せず）、該反射面１０４に配列された複数のパターン１０６を含む。前記複数のパターン１０６は、前記導光板１０の入射面１０２から離れる方向に沿って行で配列され、前記隣接する行との間の配列されたパターン１０６との距離は、だんだん小さくなり、各々行に配列された隣接するパターン１０６との距離も、だんだん小さくなる。しかし、前記導光板１０の複数のパターン１０６が前記入射面１０２から離れる方向に沿って、行で疎から密へ配列されるので、サイドライト型のバックライトモジュールだけに適用する。前記導光板１０を直射型のバックライトモジュールに応用される場合、該直射型のバックライトモジュールを、均一的に光線を出射させることができない。
【０００５】
従来技術は、直射型のバックライトモジュールに応用された導光板を提供する。該導光板は、入射面、該入射面に対向する出射面、前記入射面又は／及び前記出射面に配列された複数のパターンを含む。前記複数のパターンは、前記導光板の入射面又は出射面の中心を中心として、放射状に配列される。
【発明の概要】
【発明が解決しようとする課題】
【０００６】
しかし、光源からの光線が一般的に円柱形である光線であり、導光板が正方形あるいは長方形であり、該導光板の複数のパターンが該導光板の入射面又は出射面の中心を中心として、放射状に配列され、該導光板の縁と隣接するパターンの配列形状は前記導光板の形状と異なるので、該導光板の縁から出射する光線は、均一性が良くなく、前記直射型のバックライトモジュールは、均一的に光線を出射することができない。
【０００７】
従って、本発明は、直射型のバックライトモジュールから出射する光線の均一性を高めることができる導光板及び該導光板を利用した直射型のバックライトモジュールを提供することを課題とする。
【課題を解決するための手段】
【０００８】
導光板は、底面と、前記底面と対向する出射面と、前記底面と前記出射面とを接続する側面とを含む。前記底面は、中心を含み、複数のパターンが設置される。前記複数のパターンが前記底面の中心を中心とする複数の環に配列され、前記導光板の縁と隣接するパターンが配列された形状が、該導光板の形状と同じである。
【０００９】
前記底面の中心と隣接するパターンは、該底面の中心を円心とする円環に配列され、該底面の中心を離れるパターンは、Ｎ辺形の環に配列され、該Ｎ辺形の環の形状が、前記導光板の形状と同じである。
【００１０】
前記円環の数量とＮ辺形の環の数量との比例は、２０：１より小さい。
【００１１】
反射部をさらに含み、該反射部が、前記導光板の出射面の、前記底面の中心と対向する位置に設置され、該導光板の内部に凹む。
【００１２】
前記導光板の底面が収容空間が設置され、該収容空間は、前記導光板から、該導光板の回転軸を中心として所定の平面図形を回転させて形成された構造体を除去して形成された凹槽であり、前記光源を収容することに用いられる。
【００１３】
前記導光板の出射面が複数のパターンが設置され、該複数のパターンが前記出射面の中心を中心とする複数の環に配列され、前記導光板の縁と隣接するパターンが配列された形状が、該導光板の形状と同じである。
【００１４】
導光板は、底面と、前記底面と対向する出射面と、前記底面と前記出射面とを接続する側面とを含む。前記出射面が、中心を含み、複数のパターンが設置される。前記複数のパターンが前記出射面の中心を中心とする複数の環に配列され、前記導光板の縁と隣接するパターンが配列された形状が、該導光板の形状と同じである。
【００１５】
バックライトモジュールは、少なくとも一つの光源及び導光板を含む。前記導光板が、底面と、前記底面と対向する出射面と、前記底面と前記出射面とを接続する側面とを含み、前記底面が、中心を含み、複数のパターンが設置される。前記少なくとも一つの光源が、前記導光板の下方の、前記底面の中心と対向する位置に設置される。前記複数のパターンが前記底面の中心を中心とする複数の環に配列され、前記導光板の縁と隣接するパターンが配列された形状が、該導光板の形状と同じである。
【００１６】
バックライトモジュールは、少なくとも一つの光源及び導光板を含む。前記導光板が、底面と、前記底面と対向する出射面と、前記底面と前記出射面とを接続する側面とを含み、前記底面と出射面が、それぞれ中心を含み、前記出射面が、複数のパターンが設置される。前記少なくとも一つの光源が、前記導光板の下方の、前記底面の中心と対向する位置に設置される。前記複数のパターンが前記出射面の中心を中心とする複数の環に配列され、前記導光板の縁と隣接するパターンが配列された形状が、該導光板の形状と同じである。
【発明の効果】
【００１７】
従来の導光板及びバックライトモジュールと比べると、本発明の導光板及びバックライトモジュールにおいて、導光板の底面又は出射面が複数のパターンが設置され、該複数のパターンが前記底面又は出射面の中心を中心とする環に配列され、前記導光板の縁と隣接するパターンが配列された形状が、該導光板の形状と同じであるので、前記光源からの光線は、前記環に配列されたパターンに反射され、乱反射され、前記出射面に入射し、該出射面より、均一的に射出する。従って、前記バックライトモジュールは、輝度の均一性が高くなる。
【図面の簡単な説明】
【００１８】
【図１】従来技術の導光板の反射面を示す図である。
【図２】本発明の実施例１に係るバックライトモジュールの構造を示す図である。
【図３】本発明の実施例１に係るバックライトモジュールにおける導光板の底面のパターンが配列された図である。
【図４】本発明の実施例２に係るバックライトモジュールの構造を示す図である。
【図５】本発明の実施例３に係るバックライトモジュールの構造を示す図である。
【図６】本発明の実施例３に係るバックライトモジュールに応用されたいろいろな導光板の構造を示す図である。
【図７】本発明の実施例３に係るバックライトモジュールに応用されたいろいろな導光板の構造を示す図である。
【図８】本発明の実施例３に係るバックライトモジュールに応用されたいろいろな導光板の構造を示す図である。
【図９】本発明の実施例３に係るバックライトモジュールに応用されたいろいろな導光板の構造を示す図である。
【図１０】本発明の実施例３に係るバックライトモジュールに応用されたいろいろな導光板の構造を示す図である。
【発明を実施するための形態】
【００１９】
以下、図面を参照して、本発明の実施例について説明する。
【００２０】
（実施例１）
図２を参照すると、本発明の実施例１は、バックライトモジュール２０を提供する。前記バックライトモジュール２０は、光源２００、導光板２０２、反射板２０４、プリズムシート２０６、偏光シート２０８及び散射板２１０を含む。
【００２１】
前記導光板２０２は、底面２１２、該底面２１２と対向する出射面２１４及び、前記底面２１２と前記出射面２１４とを接続する側面２１６を含む。前記底面２１２は、該底面中心２１８を含み、前記出射面２１４は、反射部２２２を含む。
【００２２】
前記光源２００は、前記導光板２０２の下方の、前記底面２１２の底面中心２１８と対向する位置に設置される。前記反射板２０４は、前記光源２００と前記導光板２０２の底面２１２との間に設置される。前記プリズムシート２０６、偏光シート２０８及び散射板２１０は、それぞれ前記導光板２０２の出射面２１４の一側に設置される。
【００２３】
前記光源２００は、発光装置２２８及び集光装置２３０を含む。前記発光装置２２８は、例えば、発光ダイオードなどの点光源である。本実施例において、前記発光装置２２８は、単色の発光ダイオードであり、前記集光装置２３０は、二つの非球面の曲面である。前記発光ダイオードは、前記二つの非球面の曲面の間に設置される。前記光源２００からの光線２３２の直径は、６ミリメートル〜８ミリメートルである。
【００２４】
前記導光板２０２は、円形、正方形、長方形又は多角形などの透明基板である。該透明基板の材料は、プラスチック、ポリメタクリル酸メチル（ＰＭＭＡ）又はガラスなどである。前記導光板２０２の厚さは制限されず、実際の応用に応じて選択することができる。本実施例において、前記導光板２０２は、辺長が５０ミリメートルであるポリメタクリル酸メチルの基板である。
【００２５】
前記反射部２２２は、前記導光板２０２の出射面２１４の、前記底面中心２１８と対向する位置に設置され、該導光板２０２の内部に凹む。前記反射部２２２は、反射面２２４を含み、該反射面２２４が球面、円錐面又は円錐面に近似する曲面などである。前記反射面２２４には、反射材料（図示せず）又はエッチングの方法で形成された複数の微細構造（図示せず）を設置することもできる。前記反射材料又は複数の微細構造は、前記反射面２２４の全体又は一部で被覆することができる。前記反射部２２２は、前記導光板２０２から、該導光板２０２の回転軸を中心として所定の平面図形を回転させて形成された構造体を除去して形成するものである。前記導光板２０２の出射面２１４に反射部２２２が設置されるので、前記光源２００からの光線２３２は、前記反射部２２２の反射面２２４に入射すると、該反射部２２２の反射面２２４に反射された後で、該導光板２０２の内部に入射され、該導光板２０２の内部で反射され、散乱されてから、該導光板２０２の出射面２１４より射出される。従って、前記導光板２０２の出射面２１４の、前記光源２００と対向する領域に分布された光線が減少され、前記導光板２０２の出射面２１４の、前記光源２００と対向する領域の以外の領域に分布された光線は、増加される。これによって、前記導光板２０２より射出した光線が均一になるので、前記バックライトモジュール２０は、発光輝度が均一になる。勿論、前記導光板２０２は、反射部２２２を有しなくてもよい。
【００２６】
図２及び図３を参照すると、前記導光板２０２の底面２１２には、複数のパターン２２０が設置される。該複数のパターン２２０は、前記底面中心２１８を中心とする複数の環に配列される。前記環は、円環、楕円環又は多角形の環である。前記導光板２０２の縁と近接する複数のパターン２２０が配列された形状は、該導光板２０２の形状と同じである。例えば、前記導光板２０２が正方形なら、該導光板２０２の縁と近接する複数のパターン２２０が配列された形状は、正方形である。
【００２７】
前記複数の環は、前記底面中心２１８を中心として設置され、隣接する二つの環状の間の間隔は同じである。二つの隣接する環の間の間隔は、前記底面中心２１８を離れる方向に沿って、小さくなる。前記底面中心２１８を離れる方向に沿って、前記光線２３２の強度が弱くなるので、前記導光板２０２の構造は、前記導光板２０２の縁より射出する光線の輝度を高めることに作用し、該導光板２０２より射出する光線を均一にさせる。前記隣接する二つの環の間の間隔は、０．５ミリメートル〜２ミリメートルであることが好ましい。前記複数の環に配列されたパターン２２０の密度は、前記底面中心２１８を離れる方向に沿って、増加する。前記複数のパターン２２０は、同一環に均一的に配列され、隣接する二つのパターン２２０の間の間隔が０．１ミリメートル〜１ミリメートルである。前記パターン２２０は、凸部又は凹槽であり、その形状は、錐体、直方体、立方体、楕球体、円球体及び半球体の一種又は幾種であり、その粒径が０．１ミリメートル〜０．５ミリメートルであり、その材料がインク、チタン化合物又はシリコン化合物である。
【００２８】
前記発光装置２２８は、発光ダイオードであることが好ましい。該発光装置２２８からの光線が、前記集光装置２３０に反射され、屈折され、円柱形の光線２３２が形成されるので、前記複数のパターン２２０は、前記底面中心２１８と隣接する領域で該底面中心２１８を円心とする複数の円環に配列され、前記導光板２０２の縁と隣接する領域で該導光板２０２の形状と同じである形状の環に配列される。前記導光板２０２の形状によって、前記パターン２２０は、前記底面中心２１８から離れ、即ち、該底面２１２の縁と近接する領域で複数のＮ辺形の環で配列される。ここで、Ｎは３より大きい。前記円環の数量とＮ辺形の環の数量との比が２０：１より小さい。前記円環と前記Ｎ辺形の環との間の領域２３４で前記パターン２２０は、前記底面中心２１８を円心とする複数の円弧に配列される。
【００２９】
本実施例において、前記導光板２０２が正方形であるので、前記複数のパターン２２０は、該導光板２０２の底面２１２の縁と近接する領域で前記底面中心２１８を中心とする正方形の環に配列される。具体的には、辺長が５０ミリメートルである正方形の導光板２０２の底面２１２に２０周の環に配列されたパターン２２０が設置される。前記底面中心２１８から第１５周までのパターン２２０は、該底面中心２１８を円心とする円環に配列される。そして、前記底面中心２１８から第１６周以降のパターン２２０は、該底面中心２１８を中心とする正方形の環に配列される。前記光源２００からの光線２３２が前記円環に配列されたパターン２２０に乱反射されないで、前記導光板２０２の内部に入射することができるために、前記底面中心２１８と隣接する第１周の円環２４０の直径は、８ミリメートル以上である。第１５周の円環２３６は、前記底面中心２１８を中心とする第１周の正方形の環２３８と接触する。隣接する二つの環の間の間隔は、１ミリメートルである。前記パターン２２０は、形状が半球体であり、その半径が０．３ミリメートルである。同一環に配列された隣接する二つのパターン２２０の間の間隔は、０．６ミリメートルである。
【００３０】
光の利用率を高めるために、前記導光板２０２の底面２１２において、反射膜を設置でき（図示せず）、反射膜は、金属膜または誘導体膜であり、例えば、アルミニウム鍍金と銀鍍金等である。前記パターン２２０は、反射膜を鍍金する工程を通じて、高い反射率を持つことができる。四つの側面２１６は、高い反射率も持つべきであり、反射膜を鍍金することを通じて実現できる。前記導光板２０２の出射面２１４には、輝度を増加する膜又は乱反射膜などの光学膜が設置することができる。
【００３１】
前記反射板２０４は、前記光源２００と前記導光板２０２の底面２１２との間に設置される。該反射板２０４の厚さは制限されず、前記バックライトモジュール２０の厚さを減少するために、該反射板２０４の厚さをできるだけ小さくする。前記光源２００からの光線が前記導光板２０２の内部に入射するように、前記反射板２０４の、前記光源２００と対向する位置は、中空又は透明である。前記反射板２０４の、前記導光板２０２の底面２１２と対向する表面に反射膜（図示せず）が設置される。該反射膜が前記導光板２０２の底面２１２からの光線を該導光板２０２の内部に入射することができるので、前記バックライトモジュール２０の輝度は、高くなる。勿論、前記バックライトモジュール２０は、前記反射板２０４を設置しなくてもよい。
【００３２】
前記導光板２０２からの光を均一的に拡散させるために、順番に前記導光板２０２の出射面２１４に近い側から、プリズムシート２０６、偏光シート２０８及び散射板２１０を設置することができる。前記散乱板２１０は、該導光板２０２の出射面２１４と所定の距離だけ離隔して、前記出射面２１４の一側に設置されている。前記散乱板２１０により、該出射面２１４からの光を均一に拡散させることができる。前記偏光シート２０８は、前記散乱板２１０の前記出射面２１４に近い側の表面に設置され、光の伝送の方向を制御するために用いられる。前記プリズムシート２０６は、前記偏光シート２０８の前記導光板の出射面２１４に近い側の表面に設置される。該プリズムシート２０６は透過型の輝度補償シート又は反射型の輝度補償シートであり、該導光板２０２からの光の輝度を調整するために用いられる。勿論、前記バックライトモジュール２０は、プリズムシート２０６、偏光シート２０８及び散射板２１０を設置してもよい。
【００３３】
前記バックライトモジュール２０の光源２００からの円柱形の光線は、前記反射部２２２に反射されてから、前記導光板２０２の底面２１２に入射する。該導光板２０２の底面２１２に入射した光線２３２が該底面２１２に投影された図形は、円形である。前記パターン２２０が前記導光板２０２の底面２１２に円形の環及び正方形の環に配列されるので、前記底面中心２１８と隣接する領域で、一部の光線２３２は、円形の環に配列されたパターン２２０に反射され、乱反射され、前記出射面２１４に入射し、前記底面中心２１８を離れる領域で、一部の光線２３２は、正方形の環に配列されたパターン２２０に反射され、乱反射され、前記正方形の出射面２１４に入射する。従って、前記導光板２０２の出射面２１４は、輝度が均一になり、前記バックライトモジュール２０の輝度も均一になる。本実施例の導光板２０２は、輝度の均一性が９０％であり、該導光板２０２を利用したバックライトモジュール２０は、輝度の均一性が８５％以上である。
【００３４】
勿論、本実施例の導光板２０２は、前記バックライトモジュール２０に応用されたことに制限されず、実際の応用に応じて、他の構造を有するバックライトモジュールに応用されてもよい。
【００３５】
前記導光板２０２の出射面２１４に前記パターン２２０を設置してもよい。該パターン２２０の配列規律が制限されず、均一的に配列してもよく、無規則的に配列してもよい。好ましくは、前記出射面２１４に設置された前記パターン２２０の配列規律が前記底面２１２に設置された前記パターン２２０の配列規律と同じである。前記光源２００からの光線２３２は、前記導光板２０２の底面２１２と出射面２１４に設置されたパターン２２０に何度も反射され、乱反射され、前記出射面２１４からの光線の輝度を更に均一にならせる。
【００３６】
（実施例２）
図４を参照すると、本発明の実施例２は、バックライトモジュール３０を提供する。前記バックライトモジュール３０は、光源３００、導光板３０２、反射板３０４、プリズムシート３０６、偏光シート３０８及び散射板３１０を含む。
【００３７】
前記導光板３０２は、底面３１２、該底面３１２と対向する出射面３１４及び、前記底面３１２と前記出射面３１４とを接続する側面３１６を含む。前記底面３１２は、底面中心３１８を含み、前記出射面３１４は、反射部３２２を含む。
【００３８】
前記光源３００は、前記導光板３０２の下方の、前記底面３１２の底面中心３１８と対向する位置に設置される。前記反射板３０４は、前記光源３００と前記導光板３０２の底面３１２との間に設置される。前記プリズムシート３０６、偏光シート３０８及び散射板３１０は、それぞれ前記導光板３０２の出射面３１４の一側に設置される。
【００３９】
前記光源３００は、発光装置３２８及び集光装置３３０を含む。該光源３００は、前記実施例１の光源２００と同じである。前記光源３００からの光線３３２の直径は、６ミリメートル〜８ミリメートルである。
【００４０】
前記反射部３２２は、前記導光板３０２の出射面３１４の、前記底面中心３１８と対向する位置に設置され、該導光板３０２の内部に凹む。前記反射部３２２は、反射面３２４を含み、該反射面３２４が球面、円錐面又は円錐面に近似する曲面などである。前記反射部３２２は、前記実施例１の反射部２２２と同じである。
【００４１】
本実施例のバックライトモジュール３０が前記実施例１のバックライトモジュール２０の構造と基本的に同じであり、異なる所は、前記パターン３２０が前記導光板３０２の出射面３１４だけに設置される。
【００４２】
前記導光板３０２の出射面３１４だけに設置されたパターン３２０は、該出射面３１４の中心を中心として、複数の環に配列され、該導光板３０２の縁と近接する領域で、前記パターン３２０が配列された形状は前記導光板３０２の形状と同じである。従って、前記光源３００からの光線３３２は、前記環に配列された複数のパターン３２０に反射され、乱反射され、前記底面３１２に入射し、該底面３１２及び前記反射板３０４に反射され、前記出射面３１４に入射し、該出射面３１４より射出する。
【００４３】
図５を参照すると、本発明の実施例３は、バックライトモジュール４０を提供する。前記バックライトモジュール４０は、光源４００、導光板４０２、反射板４０４、プリズムシート４０６、偏光シート４０８及び散射板４１０を含む。
【００４４】
前記導光板４０２は、底面４１２、該底面４１２と対向する出射面４１４及び、前記底面４１２と前記出射面４１４とを接続する側面（図示せず）を含む。前記底面４１２に複数のパターン４２０が設置され、前記出射面４１４に反射部４２２が設置される。
【００４５】
前記バックライトモジュール４０が前記実施例１のバックライトモジュール２０の構造と基本的に同じであり、異なる所は、前記導光板４０２の底面４１２に収容空間４１８が設置され、前記光源４００が前記収容空間４１８の内部に設置されることである。
【００４６】
前記収容空間４１８は、凹槽であり、該凹槽の内表面が球面、円錐面又は円錐面に近似する曲面などである。該収容空間４１８は、前記導光板４０２から、該導光板４０２の回転軸を中心として所定の平面図形を回転させて形成された構造体を除去して形成するものである。前記収容空間４１８の形状と前記反射部４２２の形状とが同じでもよく、異なってもよい。本実施例において、前記収容空間４１８は、前記導光板４０２から、該導光板４０２の回転軸を中心として半円形を回転させて形成された構造体を除去して形成するものである。即ち、該収容空間４１８は、半球体の凹槽である。前記反射部４２２は、前記導光板４０２から、該導光板４０２の回転軸を中心として倒三角形を回転させて形成された構造体を除去して形成するものである。即ち、該反射部４２２は、倒円錐体である。
【００４７】
図６を参照すると、前記収容空間４１８及び前記反射部４２２は、前記導光板４０２から、該導光板４０２の回転軸を中心として三角形を回転させて形成された構造体を除去して形成するものである。
【００４８】
図７を参照すると、前記反射部４２２は、前記導光板４０２から、該導光板４０２の回転軸を中心として倒三角形を回転させて形成された構造体を除去して形成するものである。前記収容空間４１８は、前記導光板４０２から、該導光板４０２の回転軸を中心としていずれかの曲線を回転させて形成された構造体を除去して形成するものである。
【００４９】
図８を参照すると、前記反射部４２２は、前記導光板４０２から、該導光板４０２の回転軸を中心として倒三角形を回転させて形成された構造体を除去して形成するものである。前記収容空間４１８は、前記導光板４０２から、該導光板４０２の回転軸を中心として台形を回転させて形成された構造体を除去して形成するものである。
【００５０】
図９を参照すると、前記収容空間４１８及び前記反射部４２２は、前記導光板４０２から、該導光板４０２の回転軸を中心として半円形を回転させて形成された構造体を除去して形成するものである。
【００５１】
図１０を参照すると、前記反射部４２２は、前記導光板４０２から、該導光板４０２の回転軸を中心として半円形を回転させて形成された構造体を除去して形成するものである。前記収容空間４１８は、前記導光板４０２から、該導光板４０２の回転軸を中心としていずれかの曲線を回転させて形成された構造体を除去して形成するものである。
【００５２】
本実施例において、前記光源４００を前記収容空間４１８の内部に設置することは、前記バックライトモジュール４０の厚さを減少することができる。
【符号の説明】
【００５３】
１０  導光板
２０、３０、４０  バックライトモジュール
１０２  入射面
１０４  反射面
１０６、２２０、３２０、４２０  パターン
２００、３００、４００  光源
２０２、３０２、４０２  導光板
２０４、３０４、４０４  反射板
２０６、３０６、４０６  プリズムシート
２０８、３０８、４０８  偏光シート
２１０、３１０、４１０  散射板
２１２、３１２、４１２  底面
２１４、３１４、４１４  出射面
２１６、３１６  側面
２１８、３１８、４１８  底面中心
２２２、３２２、４２２  反射部
２２４、３２４、４２４  反射面
２２８、３２８  発光装置
２３０、３３０  集光装置
２３２、３３２  光線
２３４  円環とＮ辺形の環との間の領域
２３６  第１５周の円環
２３８  第１周の正方形の環
２４０  第１周の円環
【図１】
2010045029.tif 000003
【図２】
2010045029.tif 000004
【図３】
2010045029.tif 000005
【図４】
2010045029.tif 000006
【図５】
2010045029.tif 000007
【図６】
2010045029.tif 000008
【図７】
2010045029.tif 000009
【図８】
2010045029.tif 000010
【図９】
2010045029.tif 000011
【図１０】
2010045029.tif 000012